(57)【要約】【課題】設計通りの有効塩素濃度の電解水を定常的に噴霧できる小型の携帯可能な次亜塩素酸生成噴霧器を提供する。【解決手段】塩素化合物の溶液Ｓを収容する容器と、電気分解により生成した次亜塩素酸又はその塩の溶液を噴霧するためのトリガースプレーヤーと、前記容器と前記トリガースプレーヤーとの間に形成された管状体からなる前記溶液の吸引経路と、該吸引経路内に設けられた前記溶液Ｓの電気分解のための電極とを有し、前記トリガースプレーヤーが、シリンダ内にピストンを往復動自在に備えてなるポンプを有し、前記ピストンの往復運動により前記管状体内部で電気分解された前記溶液が噴霧され、且つ前記ピストンの内容積（Ｖｐ）と前記管状体の特定部位の内容積（Ｖｐ）の比率が特定範囲にある次亜塩素酸生成噴霧器。【選択図】　図１
2004130263.tif 000002
【特許請求の範囲】
【請求項１】
塩素化合物の溶液Ｓを収容する容器と、電気分解により生成した次亜塩素酸又はその塩の溶液を噴霧するためのトリガースプレーヤーと、前記容器と前記トリガースプレーヤーとの間に形成された管状体からなる前記溶液の吸引経路と、該吸引経路内に設けられた前記溶液Ｓの電気分解のための電極とを有する次亜塩素酸生成噴霧器であって、
前記トリガースプレーヤーが、シリンダ内にピストンを往復運動自在に備えてなるポンプを有し、前記ピストンの往復運動により、前記管状体内部で電気分解された溶液が噴霧され、且つ
前記ピストンの内容積Ｖｐ（ｍｌ）と、前記管状体の吸引経路の上流にある前記電極の端部から吸引経路の下流にある前記管状体の端部までの前記管状体の部分の内容積Ｖｅ（ｍｌ）の比率Ｖｅ／Ｖｐが１〜２０である、次亜塩素酸生成噴霧器。
【請求項２】
前記ピストンの断面積Ｓｐ（ｃｍ２）と前記管状体の電極が設けられた部分の断面積Ｓｅ（ｃｍ２）の比率Ｓｅ／Ｓｐが０．０５〜１．５である請求項１記載の次亜塩素酸生成噴霧器。
【請求項３】
前記トリガースプレーヤーのトリガーの最大引き幅が２〜８ｃｍである請求項１又は２記載の次亜塩素酸生成噴霧器。
【発明の詳細な説明】
【０００１】
【発明の属する技術分野】
本発明は、塩素化合物の溶液を電気分解し、生成した次亜塩素酸又はその塩の溶液を直ちに噴霧できるようにした次亜塩素酸生成噴霧器に関する。
【０００２】
【従来の技術】
農業、食品等の分野において、電気分解により生成される電解水が有用であることが知られている。特に、近年では、電解水の優れた殺菌、消毒作用に着目し、医療現場や家庭での利用、例えば患部、切開部、留置カテーテルの経皮開口部、医療従事者の手指等の殺菌、消毒、あるいはキッチン用品、ベビー用品、家具等の家庭用品、トイレ、浴槽等の住居まわりの殺菌、消毒に使用することが検討されている。
【０００３】
このような電解水は、溶解によりイオンが生じる溶質、例えば塩化ナトリウム等を添加し、また必要に応じｐＨ調整のための酸を添加した水（被電解水）を、電気分解することによって得られる。電気分解は、陽極および陰極よりなる電極対を有する電解槽、またはさらに陽極と陰極の間に隔膜を配置した構成の電解槽を用いて行われる。
【０００４】
しかし、このような方法は装置が大がかりとなり、例えば、医療現場や家庭でより簡易に殺菌、消毒等を行うには難がある。このような背景から、携帯可能な小型の電解水噴霧器が提案されている（特許文献１〜３）。
【０００５】
【特許文献１】
特開２０００−７９３９３号公報
【特許文献２】
特開２０００−１９７８８９号公報
【特許文献３】
特開２００１−２７６８２６号公報
【０００６】
【発明が解決しようとする課題】
このような小型の噴霧器では、噴霧操作により適正な濃度・量の電解水が定常的に噴霧されることが好ましい。しかし、噴霧操作には個人差があり、必ずしも設計通りの噴霧がされないことがある。例えば、このため、噴霧操作の幅を考慮して噴霧機構の設計がされることが望ましいが、その適正値については十分な検討がなされていない。
【０００７】
本発明の課題は、電解効率が高く、適正な有効塩素濃度の電解水をトリガー操作（引き幅）にかかわらず定常的に容易に噴霧できる小型の携帯可能な次亜塩素酸生成噴霧器を提供することである。
【０００８】
【課題を解決するための手段】
本発明は、塩素化合物の溶液Ｓを収容する容器と、電気分解により生成した次亜塩素酸又はその塩の溶液（以下、電解水という場合もある）を噴霧するためのトリガースプレーヤーと、前記容器と前記トリガースプレーヤーとの間に形成された管状体からなる前記溶液の吸引経路と、該吸引経路内に設けられた前記溶液Ｓの電気分解のための電極とを有する次亜塩素酸生成噴霧器であって、
前記トリガースプレーヤーが、シリンダ内にピストンを往復運動自在に備えてなるポンプを有し、前記ピストンの往復運動により、前記管状体内部で電気分解された溶液が噴霧され、且つ
前記ピストンの内容積Ｖｐ（ｍｌ）と、前記管状体の吸引経路の上流にある前記電極の端部から吸引経路の下流にある前記管状体の端部までの前記管状体の部分の内容積Ｖｅ（ｍｌ）の比率Ｖｅ／Ｖｐが１〜２０である、次亜塩素酸生成噴霧器に関する。
【０００９】
本発明の噴霧器は、容器とトリガースプレーヤーとの間に形成された吸引経路を有し、且つ該吸引経路内に電気分解のための電極が設けられており、トリガーの操作により、電気分解が行われ、且つ生成した電解水が噴霧される。
【００１０】
本発明の噴霧器の形態では、一例として、Ｖｅ／Ｖｐ＝１の時、１回のトリガー操作で、生成した電解水が全部噴霧されることが理想的であり（すなわち、噴霧量＝電解水生成量＝管状体内部に保持される被電解水量）、通常は、トリガーが最大ストローク（引き幅）まで引かれれば、ほぼこれは達成されると考えられる。しかし、実際の使用場面では、設計された最大ストロークまで完全にトリガーが引ききられない場合があり、その場合、噴霧量は減少し、電解水が管状体内部に残ってしまう。管状体内部に残った電解水は、次の噴霧操作により再度電気分解を受けることになる。このため、設計された濃度と異なる有効塩素濃度の電解水が生成してしまうおそれがある。
【００１１】
そこで、本発明では、ピストンの内容積（Ｖｐ）と管状体の特定部位の内容積（Ｖｅ）に着目し、有効塩素濃度を適正に保つ観点から、具体的に両者の比率Ｖｅ／Ｖｐを１〜２０、好ましくは２〜１０としたものである。Ｖｅ／Ｖｐが２０よりも大きいと電解水の有効塩素濃度が増加する傾向を、またＶｅ／Ｖｐが１よりも小さいと電解水の有効塩素濃度が減少する傾向を示す。本発明において、Ｖｅ／Ｖｐを上記の範囲とすることでトリガー操作（引き幅）にかかわらず、設計通りの有効塩素濃度の電解水がトリガー操作（引き幅）に応じた量で噴霧されるのは、管状体への電解水の残存量と電解水の生成量（電解効率）とのバランスが良くなるためと考えられる。
【００１２】
【発明の実施の形態】
以下、図面を参照しつつ本発明を詳細に説明する。なお、各図中、同一符号は同一又は同等の構成要素を表している。
【００１３】
図１は、噴霧装置としてトリガースプレーヤーを設けた本発明の次亜塩素酸生成噴霧器１の側部からの概略図であり、この次亜塩素酸生成噴霧器１は、液体容器２と噴霧装置であるトリガースプレーヤー３とからなっている。液体容器２は、内部に塩素化合物の溶液を収容している。
【００１４】
該噴霧器では、容器２とトリガースプレーヤー３との間の溶液の吸引経路がディップチューブ１１により形成され、且つ該ディップチューブ１１は溶液を電気分解する電極３０ａ、３０ｂを備えている。電解が行われる部位（以下、電解部という）は、該チューブ１１内における電極が存在する部分であり、該電解部とその上部の支持壁部１０ｊまでの部分（すなわち、図１中のＬ）が、本発明でいう、前記管状体の吸引経路の上流にある前記電極の端部から吸引経路の下流にある前記管状体の端部までの前記管状体の部分（以下、電解実行部という）の内容積（Ｖｅ）に相当する。Ｖｅは、該管状体の部分から電極等の占める体積を除いた体積である。Ｖｅは、０．２５〜２５ｍｌ、更に０．５〜１１ｍｌが好ましい。
【００１５】
また、本発明では、ピストンの断面積Ｓｐ（ｃｍ２）と前記管状体の電極が設けられた部分の断面積Ｓｅ（ｃｍ２）の比率Ｓｅ／Ｓｐが、有効塩素濃度を適正に保つ観点から、０．０５〜１．５、更に０．１〜１．５であることが好ましい。ここで、該チューブ１１の断面積がＳｅであり、Ｓｅは０．２８〜０．７９ｃｍ２が、電解効率や、噴霧されなかった電解水と被電解水の混合防止の観点から、好ましい。なお、Ｓｅは、該チューブ１１の電極が存在する部分であって、電極等の占める面積を除いた実質的な吸引経路の有効断面積を意味し、管状体の長手方向と直交する断面の空隙部分の面積である。該チューブ１１は被電解水を保持するが、０．２〜１０ｃｍ３、更に０．２５〜５ｃｍ３の被電解水を保持できることが好ましい。なお、管状体であるディップチューブ１１の先端は、先細形状となっていることが、液の逆流を抑制する点で、好ましい。また、電極が内挿されたディップチューブ１１は、部品交換の容易さを考慮して、電極と共に脱着可能に設置することができる。
【００１６】
図２は、トリガースプレーヤー３の要部Ｔを示す側部断面図である。該トリガースプレイヤー３では、互いに連通する水平管路４及び垂直管路５が設けられると共に該水平管路４及び垂直管路５に液状物を供給するピストン・シリンダー機構１２が配設されたスプレイヤー本体６と、該スプレイヤー本体６に回動自在に装着されたトリガー７と、上記水平管路４の前方部に装着されたスピンエレメント８と、該スピンエレメント８の前方部に装着されたノズル部材９と、上記垂直管路５に装着されたインテイク１０と、該インテイク１０に装着されたチューブ１１とを備え、且つ上記スプレイヤー本体６及び上記インテイク１０が、上記容器本体２内に外気を導入する外気導入孔６ａ及び１０ａを有している。
【００１７】
上記スプレー容器１を更に詳説すると、上記スプレイヤー本体６の前方部であって、上記水平管路４の先端部には、挿嵌部４ａが設けられており、この挿嵌部４ａに、上記スピンエレメント８が嵌着されている。また、このスピンエレメント８の先端部には、ノズルチップ９ａを備えたノズル部材９が嵌着されている。
【００１８】
上記水平管路４の下方位置には、上記ピストン・シリンダー機構１２のシリンダーＳを構成する二重の筒状壁部１３、１４が設けられている。そして、この筒状壁部１３の下方に、上記外気導入孔６ａが形成されている。上記シリンダーＳ内には、当該シリンダーＳ内を往復運動するピストン部材１５がコイルバネ１６を介して配設されている。本発明では、該ピストン部材の断面積がＳｐであり、ピストンの長手方向と直交する断面の面積である。Ｓｐ（ｃｍ２）は、ピストンの容積（ｃｍ３）／ピストンのストローク（ｃｍ）により算出される。Ｓｐは０．０１〜６ｃｍ２、更に０．２〜３ｃｍ２が好ましい。
【００１９】
また、ピストン部材１５の内容積Ｖｐは、１回当たりの噴霧量を適正にするという観点で、０．２〜３ｍｌであることが好ましい。ここで、ピストンの内容積は、トリガーを完全に引ききった場合には、噴霧される電解水の量（噴霧量）にほぼ等しい。また、ピストン部材１５のストロークは、吐出量を適正にするという観点で、５〜１５ｍｍであることが好ましい。
【００２０】
上記トリガー７は、上記スプレイヤー本体６の側壁部内側に回動自在に嵌着されている。このトリガー７の背面部には、上記ピストン部材１５の前端部に当接する押圧突起７ａが設けられており、トリガー７を回動操作することによって、ピストン部材１５が上記シリンダーＳ内を往復運動できるようになしてある。そして、上記ピストン部材１５の摺動部１５ａが、上記外気導入孔６ａより後方に移動したときに、上記外気導入孔６ａ、１０ａを通じて外気が容器本体２内へ流入されるようになしてある。本発明では、トリガースプレーヤー本体６のトリガー７の最大引き幅は、操作性の観点で、２〜８ｃｍであることが好ましい。
【００２１】
一方、上記スプレイヤー本体６の下方部には、上記垂直管路５の下端部を囲繞する二重の挿嵌壁部１７、１８が設けられており、垂直管路５及び挿嵌壁部１７、１８内に、上記インテイク１０が嵌着されている。
【００２２】
インテイク１０は、基板部１０ｂを境として、上方部に、上記挿嵌壁部１８に嵌着される嵌着壁部１０ｃと、上記垂直管路５及び挿嵌壁部１７に嵌着される管部１０ｄとを備えており、また、下方部に、スプレイヤー本体６を上記容器本体２の口部２ｂに装着したときに該口部２ｂに密嵌する嵌着壁部１０ｅと上記管部１０ｄに連通し且つ上記チューブ１１の上端部が嵌着される管部１０ｆとを備えている。そして、上記嵌着壁部１０ｃの天板部に上記外気導入孔１０ａが形成されている。
【００２３】
上記管部１０ｆには、後述するチューブ１１の回動を規制する係止部（図示せず）が設けられている。また、管部１０ｄには、上記水平管路４及び上記シリンダーＳ内に連通する連通孔１０ｇ、１０ｈがそれぞれ形成されている。更に、管部１０ｄの内部の上方には、バルブ２０が配設されている。このバルブ２０は、そのフランジ部２０ａが支持壁部１０ｉで支持されており、水平管路４からの液状物の逆流を防ぐとともに、支持壁部１０ｉの下方における液圧が所望の圧力に高まったときに管部１０ｄ内と上記水平管路４とを連通させて該水平管路４に液状物を供給するようになしてある。また、このバルブ２０の下方には、ボール弁体２１が配設されている。このボール弁体２１は、支持壁部１０ｊで支持されており、上記シリンダーＳ内からの液状体の逆流を防ぐとともに、支持壁部１０ｊの下方における液圧が所望の圧力に高まったときに液状物が上方に供給されるようになしてある。
【００２４】
インテイク１０の基板１０ｂの上方には、上下方向の挿通孔を有するキャップ体２２が装着されており、このキャップ体２２の雌ねじ２２ａと、容器本体２の口部外周の雄ねじ（図示せず）とを螺合させることによって、上記スプレイヤー３を容器本体２に装着できるようになしてある。
【００２５】
上記チューブ１１は、その上端部に、上記インテイク１０の管部１０ｆと係合してその回動を不能とする係止部（図示せず）が設けられており、該管部１０内において回動不能に嵌着されている。
【００２６】
トリガースプレーヤー３には、電池３２が収容され、電池３２の一端のスペースには回路部３３が設けられている。この回路部３３は、電池３２の電圧を昇圧して電極３０ａ、３０ｂに印加する。また、電源として電池を用いずに、トリガーの操作により電気分解のための電力を発電する手段を備えることもできる。
【００２７】
電極３０ａ、３０ｂの形成材料としては、次亜塩素酸に対する耐腐食性の点から、白金板又は白金メッキ板を使用することが好ましい。
【００２８】
電極３０ａ、３０ｂに印加する電圧の大きさは、噴霧対象物、消臭あるいは殺菌等の噴霧目的に応じて所定の殺菌力を得るために適した次亜塩素酸の濃度、溶液の濃度、ディップチューブ１１内で電気分解される溶液の容積等に応じて、適宜定める。例えば、０．１Ｎの塩化ナトリウムの水溶液を溶液とし、１回のトリガー操作で１ｐｐｍ〜８０ｐｐｍの次亜塩素酸溶液を０．１ｍＬ〜１ｍＬ噴霧する場合、電極３０ａ、３０ｂには２〜１０Ｖ印加する。また、電極３０ａ、３０ｂに印加する電圧の大きさは、次亜塩素酸生成噴霧器１の用途、必要とする殺菌力等に応じて、噴霧する溶液中の次亜塩素酸又はその塩の濃度を変えられるように、可変としてもよい。すなわち、例えば、回路部３３に、電極に印加される電圧を可変にする手段を形成することができる。
【００２９】
電極の形状は、平板でもよいが、下記（１）〜（４）の少なくとも１つを具備することが好ましい。
（１）陽極及び陰極の少なくとも一方、好ましくは少なくとも陰極が、より好ましくは両方が、他方の電極に向かって及び／又は他方の電極の反対に向かって突出した、少なくとも一つの凸部を有する。
（２）陰極の面積が陽極の面積よりも大きい。
（３）陽極と陰極が非平行に配置されている。
（４）陽極及び陰極の少なくとも一方、好ましくは少なくとも陰極が、より好ましくは両方が、被電解水を流通させる開口を有する。
【００３０】
電極３０ａ、３０ｂへの電圧の印加をオン−オフするスイッチは、次亜塩素酸生成噴霧器１の使用時にのみ電極３０ａ、３０ｂに電圧がかかるように、トリガー７を引くと自動的にスイッチがオン（ＯＮ）となり、トリガー７を離すとスイッチがオフ（ＯＦＦ）となるように、トリガースプレーヤー３内に設けられている。
【００３１】
本発明の噴霧器は、噴霧操作により電気分解のための電力を発生する手段を有することができる。該手段は、例えば、トリガーと連動して作動するモータが挙げられ、該モータは通常トリガースプレーヤー内に設けられる。
【００３２】
また、本発明の次亜塩素酸生成噴霧器１は、電気分解が実行されていることを表示する手段を持つことができる。該手段は、トリガースプレーヤー３に設けることが好ましい。該手段の例としては、トリガーの動作と連動して通電中に表示されるＬＥＤランプが挙げられる。更に、電極にかかる電圧に連動させるとより表示が正しい。これにより、新たに電流検知などをすることなく、簡便に動作を確認できる。
【００３３】
本発明の次亜塩素酸生成噴霧器１は、トリガー７の操作により次のように作用する。即ち、まず、トリガー７を矢印Ａのように容器２側に引くことにより、スイッチがＯＮとなり回路に電流が流れ、その結果、電極３０ａ、３０ｂ間に電流が流れる。このとき、ディップチューブ１１内の被電解水はほぼ瞬時に電気分解され、且つピストン・シリンダー機構１２により外部に放出される。すなわち、本発明の噴霧器では、噴霧操作（例えばトリガーの操作）と連動して電気分解が行われる。その際、本発明の噴霧器では、ピストン１５の内容積Ｖｐとディップチューブ１１の電解実行部の内容積Ｖｅの比率Ｖｅ／Ｖｐが１〜２０であるので、トリガーが完全に引ききられない場合でも、設計した有効塩素濃度の電解水をトリガーの引き幅に応じた量で噴霧することができる。本発明では、前記トリガーの操作開始から０．１〜１秒で電気分解により生成した次亜塩素酸又はその塩の溶液を噴霧することが好ましい。
【００３４】
（塩素化合物の溶液）
容器２に収容される溶液としては、電気分解により次亜塩素酸を生成する塩の水溶液を使用する。このような塩としては、例えば、塩化ナトリウム、塩化カリウム、塩化マグネシウム、塩化カルシウム、塩化アンモニウム等から選ばれる一種又は二種以上をあげることができる。中でも、毒性等の点から、塩化ナトリウム、塩化カリウム又は塩化マグネシウムが好ましい。また、溶液における塩の濃度は０．１〜１０重量％とすることが好ましい。
【００３５】
溶液が酸性であると、溶液の電気分解により次亜塩素酸塩よりも次亜塩素酸が多く存在し、溶液がアルカリ性であると、次亜塩素酸よりも次亜塩素酸塩が多く存在する。また、溶液の液性によって殺菌力が異なり、一般には、アルカリ性溶液よりも酸性溶液の方が殺菌力の高い場合が多く、特に芽胞菌等にはアルカリ性溶液よりも酸性溶液の殺菌力が高いが、カビに対する殺菌力は酸性溶液よりもアルカリ性溶液が高い。そこで、噴霧対象物に応じて殺菌力を向上させるため、溶液の液性を酸性又はアルカリ性に適宜調整することが好ましい。
【００３６】
溶液を酸性に調整する場合、溶液に強酸を添加して酸性を過度に強くすると、次亜塩素酸が分解して塩素ガスが発生し、次亜塩素酸の殺菌力を担う酸化力が損なわれる。次亜塩素酸の酸化力を維持しつつ殺菌力を高めるためには、溶液を２０℃でｐＨ３〜８、特にｐＨ３〜７に調整することが好ましい。また、このようなｐＨに溶液を調整するためには、解離度の低い弱酸の水溶性の有機酸を使用することが、溶液のｐＨ制御の容易性の点から好ましい。ここで、水溶性の有機酸としては、コハク酸、乳酸、酢酸、クエン酸、酒石酸等をあげることができる。
【００３７】
一方、溶液をアルカリ性に調整する場合、ｐＨ制御の容易性の点から、水溶性の有機アルカリを使用することが好ましい。水溶性有機アルカリとしては、例えば、モノエタノールアミン、トリエタノールアミン、Ｎ−メチルエタノールアミン等のアミン系化合物をあげることができる。
【００３８】
溶液には、さらに殺菌力を向上させるため、界面活性剤を添加してもよい。溶液に界面活性剤を添加すると、電気分解後の溶液の噴霧対象物に対する濡れ性を向上し、カビや菌の細胞膜との親和性も向上するので、殺菌効果がさらに向上する。
【００３９】
界面活性剤としては、アルキルベンゼンスルホン酸塩、ポリオキシエチレンアルキルエーテル硫酸塩等の陰イオン界面活性剤、塩化ベンザルコニウム等の陽イオン界面活性剤、アミンオキサイド（例えばアルキルジメチルアミンオキサイド）等の両性界面活性剤、ポリグリセリン脂肪酸エステル、アルキルグリコシド等の非イオン界面活性剤等を使用することができる。界面活性剤の溶液における濃度は、０．０１〜１０重量％とすることが好ましい。
【００４０】
溶液には、この他、殺菌力や清涼感を向上させる等のためにアルコールを添加してもよく、また、必要に応じて香料、色素、界面活性剤以外の殺菌剤、増粘剤、酵素、漂白剤、キレート剤、塩素化合物以外の電解質、ビルダー、防腐剤、防錆剤等を添加してもよい。特に、保存安定性の面からは被電解水が防腐剤を含有することが好ましい。
【００４１】
本発明の次亜塩素酸生成噴霧器は、室内、水回り、食器、衣類等の家庭用あるいは業務用の消臭、殺菌、漂白、又は人体、例えば手指等の殺菌、消毒等に広く使用することができる。
【００４２】
噴霧装置としてトリガースプレーヤーを設けた本発明の次亜塩素酸生成噴霧器は、図示した他に種々の態様をとることができる。
【００４３】
さらに、トリガースプレーヤーには種々の機構のものがあり、その機構に応じてトリガースプレーヤー内の液流路やトリガーの支点の位置等が異なるが、本発明の次亜塩素酸生成噴霧器は、任意のトリガースプレーヤーに適用することができる。
【００４４】
以上説明した本発明によれば、
塩素化合物の溶液を収容する容器本体２の口部に、トリガースプレイヤー３が装着されてなり、該トリガースプレイヤー３は、互いに連通する水平管路４及び垂直管路５が設けられると共に該水平管路４及び垂直管路５に液状物を供給するピストン・シリンダー機構１２が配設されたスプレイヤー本体６と、該スプレイヤー本体６に回動自在に装着されたトリガー７と、上記水平管路４の前方部に装着されたスピンエレメント８と、該スピンエレメント８の前方部に装着されたノズル部材９と、上記垂直管路５に装着されたインテイク１０と、該インテイク１０に装着されたチューブ１１とを備え、且つ上記スプレイヤー本体６及び上記インテイク１０が、上記容器本体２内に外気を導入する外気導入孔６ａ及び１０ａを有し、上記チューブ１１内に前記溶液を電気分解する電極を備え、
前記トリガースプレーヤー３が、シリンダＳ内にピストン１５を往復運動自在に備えてなる前記ピストン・シリンダー機構１２を有し、前記ピストンの往復運動により前記チューブ１１内部で電気分解された前記溶液が噴霧され、且つ
前記ピストン１５の内容積Ｖｐ（ｍｌ）と、前記チューブ１１の吸引経路の上流にある前記電極の端部から吸引経路の下流にある前記チューブ１１の端部までの前記チューブ１１の部分の内容積Ｖｅ（ｍｌ）の比率Ｖｅ／Ｖｐが１〜２０である、次亜塩素酸生成噴霧器、更には、
前記ピストン１５の断面積（Ｓｐ）と前記チューブ１１の断面積（Ｓｅ）の比率Ｓｅ／Ｓｐが０．０５〜１．５である、次亜塩素酸生成噴霧器が提供される。
【００４５】
【発明の効果】
本発明によれば、設計通りの有効塩素濃度の電解水を定常的に噴霧できる小型の携帯可能な次亜塩素酸生成噴霧器が提供される。
【００４６】
【実施例】
実施例１
図１の噴霧器で、図２に示すようなトリガー式の噴霧器のディップチューブ内に白金製の電極を配置した。該噴霧器では、ピストンの内容積Ｖｐは１．０５ｍｌ、ピストンの断面積Ｓｐは１．５ｃｍ２である。ディップチューブの電解実行部の内容積Ｖｅ（便宜的に表１中ではディップチューブＶｅと表記する）は、ピストンの内容積Ｖｐに対して表１の比率となるように変更した。また、トリガースプレーヤーのトリガーの最大引き幅は３ｃｍであり、いずれの場合も、電極面積、電圧、電流量等を調整して、ピストン部のストロークが７．０ｍｍの場合に、有効塩素濃度８０ｐｐｍの電解水が噴霧されるよう、設計されている。また、電極間の距離は３ｍｍである。電力は９Ｖの乾電池を用い、抵抗を入れ６Ｖに調整し、トリガーを引くと同時に直流の電気が流れるようにした。被電解水は１．２重量％の食塩水に、コハク酸を５０ｐｐｍ、ラウリルジメチルアミンオキサイド〔アンヒトール２０Ｎ、花王（株）製〕を５０ｐｐｍ添加したものを用いた。
【００４７】
この噴霧器を用いて、ピストンのストロークが４ｍｍ（設計ストローク７ｍｍに対して約５７％）となるようにトリガーを引き、その噴霧された溶液の有効塩素濃度を、ＪＩＳ　Ｋ−０１０１“ヨウ素法”により測定した。結果を表１に示すが、この評価では、有効塩素濃度の差が設計値と測定値で２０％以内であれば、実用上問題ないレベルであると言える。
【００４８】
【表１】
2004130263.tif 000003
【００４９】
実施例２
実施例１において、ピストンの内容積Ｖｐを０．２５ｍｌ、ピストンの断面積Ｓｅを０．５ｃｍ２とし、ディップチューブの電解実行部の内容積Ｖｅ（便宜的に表２中ではディップチューブＶｅと表記する）を、ピストンの内容積Ｖｐに対して表２の比率となるように変更した。また、トリガースプレーヤーのトリガーの最大引き幅を２．５ｃｍとし、ピストン部のストロークが５．０ｍｍの場合に、有効塩素濃度８０ｐｐｍの電解水が噴霧されるよう、設計された同様の噴霧器を用いた。この噴霧器では、ディップチューブの断面積Ｓｅはピストンの断面積Ｓｐに対して表２のように変更した。この噴霧器のトリガーを、ピストンのストロークが４ｍｍ（設計ストローク５ｍｍに対して８０％）となるように引き、その噴霧された溶液の有効塩素濃度を、実施例１と同様に測定した。結果を表２に示す。
【００５０】
【表２】
2004130263.tif 000004
【図面の簡単な説明】
【図１】本発明の次亜塩素酸生成噴霧器の側部からの概略図である。
【図２】図１の噴霧器のトリガースプレーヤーの要部を示す概略図である。
【符号の説明】
１：次亜塩素酸生成噴霧器
２：容器
３：トリガースプレーヤー
１１：ディップチューブ
３０ａ、３０ｂ：電極
【図１】
2004130263.tif 000005
【図２】
2004130263.tif 000006